(57)【要約】  セキュリティ機能を有するＳＤカード（２１）を使用可能なデジタルカメラ（１）であって、ＳＤカード（２１）のセキュリティ機能を解除するためのパスワードをＳＤカード（２１）に入力するパスワード入力手段と、このパスワード入力手段によるパスワードの入力により、ＳＤカード（２１）とパソコン（２）との通信を可能とする。
2016031414.tif 000002
【特許請求の範囲】
【請求項１】
セキュリティ機能を有する記録媒体を使用可能な電子機器であって、
前記記録媒体の前記セキュリティ機能を解除させるパスワードを前記記録媒体に入力するパスワード入力手段を備え、
前記パスワード入力手段によるパスワードの入力により、前記記録媒体のセキュリティ機能を解除するとともに、前記記録媒体と外部装置との通信を可能とすることを特徴とする電子機器。
【請求項２】
前記セキュリティ機能は、パスワードによってセキュリティを設定するセキュリティ設定手段と、該セキュリティ設定手段によって設定されているセキュリティを前記パスワードによって解除するセキュリティ解除手段とを有し、
前記電子機器は、被写体を撮像する撮像手段と、前記外部装置が装置本体に接続されたことを検出する接続検出手段と、前記外部装置と通信する通信手段とを備え、
前記セキュリティ解除手段は、前記パスワード入力手段によって入力されたパスワードと、前記装置本体に装着された前記記録媒体に設定されているパスワードとが一致したとき、前記記録媒体に掛けられているセキュリティを解除し、
前記接続検出手段が外部装置の接続を検出しているとき、
前記通信手段は、前記外部装置による前記記録媒体へのアクセスが可能となったことを前記外部装置へ通知することを特徴とする請求項１に記載の電子機器。
【請求項３】
前記電子機器の電源がオンされたとき、前記パスワード入力手段によるパスワードの入力を許可することを特徴とする請求項１または請求項２に記載の電子機器。
【請求項４】
前記パスワード入力手段によって入力されたパスワードを記憶する記憶手段を有し、
前記電子機器の電源がオンされたとき、前記記憶手段に記憶されているパスワードが前記記録媒体へ入力されることを特徴とする請求項１ないし請求項３のいずれか１項に記載の電子機器。
【請求項５】
前記記憶手段によるパスワードの記憶保持時間が設定可能であることを特徴とする請求項４に記載の電子機器。
【請求項６】
前記パスワード入力手段は、バーコードで入力することを特徴とする請求項１ないし請求項５のいずれか１項に記載の電子機器。
【請求項７】
前記記憶手段は、複数の記録媒体のシリアルナンバーと、各シリアルナンバー毎のパスワードを記録することを特徴とする請求項４ないし請求項６のいずれか１項に記載の電子機器
【請求項８】
前記記憶手段から記録媒体のシリアル番号を取得する取得手段と、
取得したシリアル番号に対応したパスワードを前記記憶手段から読み出す読出手段とを更に有し、
前記読出手段が読み出したパスワードを前記記録媒体へ入力することを特徴とする請求項７に記載の電子機器。
【請求項９】
前記パスワード入力手段によるパスワードの入力は、前記電子機器と前記外部装置の接続の後に行なわれることを特徴とする請求項１ないし請求項８のいずれか１項に記載の電子機器。
【請求項１０】
前記電子機器は、デジタルカメラであることを特徴とする請求項１ないし請求項９のいずれか１項に記載の電子機器。
【請求項１１】
セキュリティ機能を有する記録媒体を使用可能な電子機器と外部装置との接続方法であって、
前記記録媒体の前記セキュリティ機能を解除するためのパスワードをパスワード入力手段によって前記記録媒体に入力するパスワード入力ステップと、
前記パスワード入力ステップによるパスワードの入力後に前記記録媒体の前記セキュリティ機能が解除され、前記記録媒体へのアクセスが可能となったことを外部装置に通知する通知ステップとを有することを特徴とする接続方法。
【発明の詳細な説明】
【技術分野】
【０００１】
この発明は、記録媒体にパスワードを設定することが可能な電子機器と接続方法に関する。
【背景技術】
【０００２】
従来から、電子機器であるデジタルカメラに装着したＳＤカードにパスワードを設定できるようにしたデジタルカメラが知られている（特許文献１参照）。
【先行技術文献】
【特許文献】
【０００３】
【特許文献１】特開２００４−３１２２４０号公報
【発明の概要】
【発明が解決しようとする課題】
【０００４】
このようなデジタルカメラにあっては、例えばパソコンなどに接続しても、セキュリティが設定されたＳＤカードに記録された画像を再生することができないようになっている。すなわち、ＳＤカード（記録媒体）とパソコンとの間で通信が行えないという問題がある。【０００５】
この発明の目的は、記録媒体のセキュリティを解除し外部装置から通信が可能となる電子機器と接続方法を提供することにある。
【課題を解決するための手段】
【０００６】
この発明は、セキュリティ機能を有する記録媒体を使用可能な電子機器であって、【０００７】
前記記録媒体の前記セキュリティ機能を解除させるパスワードを前記記録媒体に入力するパスワード入力部を備え、【０００８】
前記パスワード入力部によるパスワードの入力により、前記記録媒体のセキュリティ機能を解除するとともに、前記記録媒体と外部装置との通信を可能とすることを特徴とする。
【発明の効果】
【０００９】
この発明によれば、記録媒体のセキュリティを解除して外部装置からの通信が可能となる。
【図面の簡単な説明】
【００１０】
【図１】この発明に係るデジタルカメラの構成を示したブロック図である。
【図２】図１に示すデジタルカメラに装着するＳＤカードにパスワードを設定する処理動作を示したフロー図である。
【図３】デジタルカメラとパソコンとをＵＳＢコードを介して接続した回路図である。
【図４】デジタルカメラとパソコンとをＵＳＢコードを介して接続した他の回路図である。
【図５】デジタルカメラの動作を示した第１実施例のフロー図である。
【図５Ａ】第１実施例の他の例のフロー図を示したものである。
【図６】第２実施例の動作を示したフロー図である。
【図７】第３実施例の動作を示したフロー図である。
【図８】設定メニューの表示画面の一例を示した説明図である。
【図９】パスワードの設定確認用の表示画面の一例を示した説明図である。
【図１０】図９の画面上で「はい」を選択した場合の表示画面の説明図である。
【図１１】パスワードの入力方式の表示画面を示した説明図である。
【図１１Ａ】バーコードを選択した場合の表示画面を示した説明図である。
【図１１Ｂ】バーコードで入力する場合の操作画面を示した説明図である。
【図１１Ｃ】パソコンが接続中であることを示す表示画面の説明図である。
【図１２】パスワードを設定するための表示画面を示した説明図である。
【図１３】パソコンが接続された際に表示されるパスワードの入力方式の表示画面を示した説明図である。
【図１３Ａ】図１３の画面に基づいてキーボードを選択した際に表示される表示画面を示した説明図である。
【図１３Ｂ】入力されたパスワードとＳＤカードのパスワードとが一致していない場合の画面表示を示した説明図である。
【図１４】設定メニューのＳＤパスワード解除時間の項目を選択した場合を示した説明図である。
【図１５】図１４の画面に選択する経過時間を表示した説明図である。
【図１６】１分を選択した画面を示した説明図である。
【図１７】１５分を選択した画面を示した説明図である。
【図１８】３０分を選択した画面を示した説明図である。
【図１９】６０分を選択した画面を示した説明図である。
【図２０】バーコードを読み取るための案内画面を示した説明図である。
【発明を実施するための形態】
【００１１】
以下、この発明に係る電子機器の一つである撮像装置の実施の形態である実施例を図面に基づいて説明する。
【実施例１】
【００１２】
［第１実施例］【００１３】
図１は、撮像装置であるデジタルカメラ１の制御系の構成を示すブロック図である。【００１４】
デジタルカメラ１は、被写体を撮像する撮像部２２と、この撮像部２２で撮像した被写体像（撮影画像）や各種の情報などを表示する表示装置２３と、操作卓２４と、通信Ｉ/Ｆ部（通信手段）２５と、制御装置（制御手段）１０とを備えている。【００１５】
操作卓２４は、各種のモード設定や各種の操作を行うための操作ボタンを有している。【００１６】
表示装置２３は、画面を表示する表示部と、この表示部に貼着されたタッチパネル（パスワード入力手段）とを有している。【００１７】
通信Ｉ/Ｆ部２５は、外部装置であるパソコン２との間で通信を行なったり、外部レリーズ装置との間に介在されるインタフェースを制御したりする。【００１８】
デジタルカメラ１の装置本体には、外部記憶装置であるＳＤカード（記録媒体：外部記憶装置）２１が着脱可能に装着されるようになっている。ＳＤカード２１は、撮像部２２で撮像した撮影画像の画像ファイルを記録するものであり、パスワードが設定可能となっている。【００１９】
また、ＳＤカード２１は、設定されているパスワードと入力されたパスワードとが一致しているか否かを判断したり、一致していると判断したときセキュリティを解除したりするセキュリティ解除手段の機能を有している。すなわち、ＳＤカード２１はセキュリティ機能を有している。【００２０】
撮像部２２は、撮影光学系と、この撮影光学系によって結像された被写体像を受光するＣＣＤなどの撮像素子とを有している。【００２１】
制御装置１０は、撮影を実行するためのプログラムや他の処理を行うためのプログラムなどを記憶したＲ０Ｍ１１と、ＲＡＭ１２と、デジタルカメラ１の全体を制御するＣＰＵ１３と、入出力ポート１４とを有している。ＲＡＭ１２は、撮影した画像を一時的に記憶したり、入力されるデータなど記憶したりする。【００２２】
表示装置２３の表示部及び操作卓２４は、デジタルカメラ１の装置本体の背面に設けられており、この装置本体の上面には、レリーズボタンが設けられている。レリーズボタンが半押しされると、測光スイッチがオンされてＣＰＵ１３がＲＯＭ１１に記憶されている測光処理プログラムに基づいて測光処理を実行する。また、レリーズボタンが全押しされるとレリーズスイッチがオンされてＣＰＵ１３がＲＯＭ１１に記憶されている撮影実行処理プログラムに基づいて撮影処理を実行する。測光処理及び撮影実行処理は、従来と同様な処理なのでその説明は省略する。【００２３】
［動  作］  【００２４】
次に、上記のように構成されるデジタルカメラ１の動作について説明する。
［パスワードの設定］【００２５】
最初に未設定のＳＤカード２１にパスワードを設定する場合について説明する。【００２６】
デジタルカメラ１にパスワードが未設定のＳＤカード２１を装着し、操作卓２４のメニューボタンを押す。これにより、図２に示すフロー図の処理が行われる。すなわち、ステップ１では、デジタルカメラ１の表示装置２３の表示部に、図８に示す設定メニューの画面Ｇ１がセットアップされて表示される。【００２７】
ステップ２では、「ＳＤパスワード設定・変更」の項目が選択されたか否かが判断され、選択されるまでこの処理が繰返される。選択されると、ステップ３へ進む。【００２８】
ステップ３では、図９に示す画面Ｇ２が表示装置２３の表示部に表示され、図１０の画面Ｇ３に示すように「はい」が選択され確定されると、図１１に示す画面Ｇ４が表示装置２３の表示部に表示される。そして、例えばキーボードを選択して確定すると、図１２に示す画面Ｇ５が表示装置２３の表示部に表示される。そして、画面Ｇ５の文字上をタッチしてパスワードを入力する。パスワードが入力されるとステップ４へ進む。【００２９】
ステップ４では、パスワードの入力により、ＳＤカードドライバソフトを経由してパスワード設定コマンドシーケンスが行われてパスワードがＳＤカード２１に書き込まれる。ＳＤカードドライバソフト及びパスワード設定コマンドシーケンス（パスワード設定手段）は公知なので、ここではその説明を省略する。【００３０】
ＳＤカード２１にパスワードが設定されると、図２に示すフロー図の処理ルーチンは終了する。【００３１】
パスワードを設定した後は、パスワードを入力しないとＳＤカード２１のファイル画像を再生したり、登録したりすることができなくなる。すなわち、ＳＤカード２１にパスワードが書き込まれると、ＳＤカード２１のセキュリティが有効となり、以降はパスワードを入力しないとＳＤカード２１のリード/ライトがエラーとなる。【００３２】
次に、バーコードでパスワードを入力する場合について説明する。【００３３】
図１１に示す画面Ｇ４が表示装置２３の表示部に表示されている場合、図１１Ａの画面Ｇ４ａに示すように「バーコード」を選択して確定すると、図１１Ｂに示す画面Ｇ４ｂが表示される。この画面Ｇ４ｂの案内に従って操作することにより、パスワードがＳＤカード２１に書き込まれることになる。
［外部装置の接続］【００３４】
次に、外部装置であるパソコン２の接続について説明する。【００３５】
先ず、パスワードが設定されたＳＤカード２１をデジタルカメラ１の装置本体に装着し、この装置本体に外部装置であるパソコン２をＵＳＢコードＣＤによって接続する。この接続により、図３及び図４に示すようにパソコン２側からVBUS５ＶがＵＳＢコードＣＤを介してデジタルカメラ１に供給される。これにより、デジタルカメラ１の通信Ｉ/Ｆ部（接続検出手段）２５は、フルスピードデバイスやロースピードデバイスであってもパソコン２が接続されたか否かを判断することができることになる。【００３６】
図５に示すフロー図の処理動作は、例えばデジタルカメラ１の電源がオンされるとスタートする。以下、図５に示すフロー図に基づいて説明する。【００３７】
ステップ１０では、デジタルカメラ１の通信Ｉ/Ｆ部２５がパソコン２から供給されるVBUS５Ｖを検出したか否かが判断され、ノーであればステップ１０の処理動作が繰り返し行われる。すなわち、デジタルカメラ１の電源を入れると、ＵＳＢコードＣＤが接続されるまでこの処理が繰り返し行われることになる。【００３８】
ここでは、ＵＳＢコードＣＤが接続されているので、通信Ｉ/Ｆ部２５がVBUS５Ｖを検出する。この検出によりイエスと判断されてステップ１１へ進む。【００３９】
ステップ１１では、図１３に示す画面Ｇ６が表示装置２３の表示部に表示され、例えば「キーボード」を選択して確定すると、図１３Ａに示す画面Ｇ６ａが表示装置２３の表示部に表示される。画面Ｇ６ａの表示にしたがってその画面Ｇ６ａをタッチしてパスワードを入力し確定する。「バーコード」を選択した場合には、図２０に示す画面Ｇ４ｃが表示され、この画面Ｇ４ｃの案内に従って操作する。【００４０】
ステップ１２では、パスワードが入力されたか否かが判断され、ノーであればパスワードが入力されるまでステップ１２の処理動作が繰り返し行われる。パスワードが入力されると、イエスと判断されてステップ１３へ進む。【００４１】
ステップ１３では、ＳＤカードドライバソフトを経由してパスワード認証コマンドシーケンスが行われて、パスワードをＳＤカード２１に送信することによりセキュリティの解除がセキュリティ解除手段へ要求される。【００４２】
ステップ１４では、入力されたパスワードがＳＤカード２１に設定されたパスワードであるか否か、すなわちパスワード認証が正常であるかどうかをＳＤカード２１自身が判断する。入力されたパスワードがＳＤカード２１のパスワードと一致していればイエスと判断されてステップ１５へ進む。また、パスワード認証が正常であれば、図１１Ｃの画面Ｇ４ｃに示すように「ＰＣ接続中」を表示する。【００４３】
ステップ１５では、ＳＤカード２１はセキュリティの解除を行い、通信Ｉ/Ｆ部２５のＵＳＢドライバを初期設定して通信の準備をする。【００４４】
ステップ１６では、ＵＳＢドライバの初期化完了により通信Ｉ/Ｆ部２５は、Ｄ+をプルアップしてホストであるパソコン２に通信の準備完了を通知し、終了する。つまり、通信Ｉ/Ｆ部２５は、ＳＤカード２１へのアクセスが可能となったことをパソコン２に通知する。【００４５】
パソコン２は、通信の準備完了の通知により、パソコン２側から操作が可能、すなわち、デジタルカメラ１のセキュリティが解除されたことをパソコン２側から認識することができる。このため、操作性が向上することになる。また、ＳＤカード２１のセキュリティの解除が行われていることにより、パソコン２はデジタルカメラ１のＳＤカード２１をマスストレージ端末として動作させることができる。【００４６】
ステップ１４でノーと判断された場合、すなわち、入力されたパスワードとＳＤカード２１のパスワードとが一致していない場合、デジタルカメラ１の表示部に図１３Ｂに示す画面Ｇ６ｂを表示したり、「パスワードが違います」などを表示したりしてステップ１７へ進む。ステップ１７では、デジタルカメラ１の電源がオフされて終了する。この電源のオフにより、パスワードの認証が失敗したことをオペレータに知らせることになる。また、パスワードの認証の失敗により、ＳＤカード２１に記録されているファイル画像の再生や、ＳＤカード２１への書き込みはできず、セキュリティは維持されることになる。
［他の例］【００４７】
図５Ａに他の例のフロー図を示す。この他の例は、デジタルカメラ１の電源がオンされたときパスワードの入力を許可するようにしたものであり、ステップ１０の替わりにステップ１０Ａと、ステップ１４Ａを追加したものである。【００４８】
ステップ１０Ａでは、電源がオンされたか否かが判断され、電源がオンされるとステップ１１へ進む。【００４９】
ステップ１４Ａでは、デジタルカメラ１の通信Ｉ/Ｆ部２５がパソコン２から供給されるVBUS５Ｖを検出したか否かが判断され、ノーであればステップ１４Ａの処理動作が繰り返し行われる。パソコン２がＵＳＢコードＣＤを介してデジタルカメラ１に接続されると、通信Ｉ/Ｆ部２５がVBUS５Ｖを検出し、この検出によりイエスと判断されてステップ１５へ進む。他は、上記実施例と同様なので、その説明は省略する。
［第２実施例］【００５０】
図６は、外部装置の接続における第２実施例のフロー図を示す。以下に、このフロー図に基づいて第２実施例の動作を説明する。この図６に示すフロー図の処理動作もデジタルカメラ１の電源がオンされるとスタートし、以下の処理動作が行われる。【００５１】
ステップ２０では、デジタルカメラ１の通信Ｉ/Ｆ部２５がパソコン２から供給されるVBUS５Ｖを検出したか否かが判断され、ノーであればステップ２０の処理動作が繰り返し行われる。そして、通信Ｉ/Ｆ部２５がVBUS５Ｖを検出すると、イエスと判断されてステップ２１へ進む。【００５２】
ステップ２１では、図１に示す不揮発性メモリ（記憶部：内部メモリ）１６にパスワードが登録されているか否かが判断される。すなわち、内部メモリ１６にパスワードが登録されているか否かが判断される。この判断はＣＰＵ１３が行う。【００５３】
内部メモリ１６にパスワードが登録されている場合には、ステップ２４へ進む。【００５４】
ステップ２４では、ＳＤカードドライバソフトを経由してパスワード認証コマンドシーケンスが行われて、パスワードをＳＤカード２１に送信することによりセキュリティの解除がセキュリティ解除手段へ要求される。【００５５】
ステップ２５では、内部メモリ１６に登録されたパスワードがＳＤカード２１のパスワードであるか否かが判断される。すなわち、デジタルカメラ１の電源がオンされると、内部メモリ１６に登録されたパスワードが読み出されてＳＤカード２１へ入力される。ＳＤカード２１は、入力されたパスワードとＳＤカード２１のパスワードとが一致しているかどうか、つまりパスワード認証が正常であるかどうかを判断する。内部メモリ１６に登録されたパスワードがＳＤカード２１のパスワードと一致していれば、パスワード認証が正常であるとし、イエスと判断してステップ２６へ進む。【００５６】
内部メモリ１６に登録されたパスワードが複数ある場合には、最新の登録日のパスワードとＳＤカード２１のパスワードとが一致しているかが判断されることになる。【００５７】
ステップ２６では、ここでは既に内部メモリ１６にパスワードが登録されているので、そのままステップ２７へ進み、ステップ２７ではセキュリティの解除を行うとともに、通信Ｉ/Ｆ部２５のＵＳＢドライバを初期設定して通信の準備をする。【００５８】
ステップ２８では、初期化完了により、通信Ｉ/Ｆ部２５はＤ+をプルアップしてホストであるパソコン２に通信の準備完了を通知し、終了する。【００５９】
パソコン２は、通信Ｉ/Ｆ部２５からの通信の準備完了の通知により、デジタルカメラ１のセキュリティが解除されたことを認識することができる。このため、操作性が向上する。また、ＳＤカード２１のセキュリティの解除が行われていることにより、パソコン２はデジタルカメラ１のＳＤカード２１をマスストレージ端末として動作させることができる。【００６０】
ステップ２１でノーと判断されたとき、すなわち、内部メモリ１６にパスワードが登録されていないとき、ステップ２２へ進む。なお、ステップ２１の判断はＣＰＵ１３が行う。【００６１】
ステップ２２では、第１実施例と同様に、図１３に示す画面Ｇ６が表示装置２３の表示部に表示され、例えば「キーボード」を選択して確定すると、図１３Ａに示す画面Ｇ６ａが表示装置２３に表示される。この画面Ｇ６ａの表示にしたがって画面Ｇ６ａにタッチしてパスワードを入力する。【００６２】
ステップ２３では、パスワードが入力されたか否かが判断され、ノーであればステップ２３の処理動作が繰り返し行われる。パスワードが入力されるとイエスと判断されてステップ２４へ進む。【００６３】
ステップ２４では、ＳＤカードドライバソフトを経由してパスワード認証コマンドシーケンスが行われて、パスワードをＳＤカード２１に送信することによりセキュリティの解除がセキュリティ解除手段へ要求される。【００６４】
ステップ２５では、入力されたパスワードがＳＤカード２１に設定されたパスワードであるか否かが判断される。すなわち、パスワード認証が正常であるかどうかが判断され、入力されたパスワードがＳＤカード２１のパスワードと一致していればイエスと判断されてステップ２６へ進む。【００６５】
ステップ２６では、ステップ２２又はステップ２３で入力されたパスワードが内部メモリ１６に登録されて、ステップ２７,２８へ進み、上記と同様にして処理動作が行われて終了する。【００６６】
ステップ２５でノーと判断された場合、すなわち、内部メモリ１６に登録されているパスワードとＳＤカード２１のパスワードとが一致していない場合にステップ２９へ進む。あるいは、ステップ２２,２３で入力したパスワードとＳＤカード２１のパスワードとが一致していない場合、ステップ２９へ進む。【００６７】
ステップ２９では、内部メモリ１６のパスワード登録エリアを初期化して登録されているパスワードを消去し、パスワードの登録がない状態に設定する。ステップ３０でデジタルカメラ１の電源をオフにして、パスワードの認証が失敗したことをオペレータに知らせる。【００６８】
内部メモリ１６にパスワードが登録されていない場合には、すなわち、ステップ２２,２３でパスワードを入力した場合、ステップ２９では、内部メモリ１６にパスワードが登録されていないので、そのままステップ３０へ進み、電源がオフされて終了する。【００６９】
この第２実施例では、内部メモリ１６にパスワードが登録されている場合には、ステップ２１からステップ２４へ進むので、パスワードを入力しなくてもセキュリティが解除される。このため、非常に使い勝手のよいものとなる。
［第３実施例］【００７０】
図７は、外部装置の接続における第３実施例のフロー図を示す。この第３実施例は、第２実施例の図６に示すフロー図にステップ４５,４８を追加したものである。以下にステップ４５,４８について説明する。【００７１】
図８に示す設定メニューの画面Ｇ１がセットアップされて表示されている場合に、図１４のメニュー画面Ｇ７に示すように「ＳＤパスワード解除時間」の項目を選択すると、図１５に示すようにメニュー画面Ｇ８が表示される。このメニュー画面Ｇ８には、例えば「１分」,「１５分」,「３０分」,「６０分」の時間が表示さる。このうちから所望の時間を指定時間（記憶保持時間）として図１６ないし図１９に示すように選択し、確定しておく。すなわち、内部メモリ１６に記憶されるパスワードの記憶保持時間が設定可能となっている。【００７２】
図７に示すステップ４８では、現時点の現在時刻に上記の選択した指定時間を加算した時刻（経過時間）＝現在時刻+指定時間が内部メモリ１６に記憶される。例えば、現在時刻が午後４時００分で、指定した時間が「２０分」あれば「４時２０分」が経過時間として内部メモリ１６に保存される。このステップ４８は電源がオフするまでこの処理が繰り返され、現在時刻が更新されていくことになる。すなわち、電源がオフされた時刻＋指定時間が経過時間として内部メモリ１６に記憶されることになる。【００７３】
つまり、オフされた時刻が５時００分であれば、経過時間は５時００分+２０分＝５時２０分が経過時刻として記憶される。【００７４】
この後、電源がオンされ、オンされた時刻が午後の５時１０分であるとすると、この時刻にステップ４５に入り、ステップ４５では、経過時間（５時２０分）が経過したかが判断され、ここではノーと判断されてステップ４４へ進むことになる。【００７５】
すなわち、現時点の時刻が経過時間を経過していなければ、パスワードを入力する必要はない。【００７６】
これは、デジタルカメラ１の電源をオフした時点から計時を開始し、次の電源投入までの計時時間が設定時間以内（指定時間以内）であればパスワード入力済みとして動作させるものである。このため、設定時間以内であればパスワードを入力する必要がないので、操作性が向上することになる。【００７７】
この第３実施例も第２実施例と同様な効果を得ることができる。なお、ステップ４５,４８以外のステップの処理動作は、図６のステップの処理動作と同じなのでその説明は省略する。【００７８】
第２,第３実施例では、内部メモリ１６にパスワードを登録するが、ＳＤカード２１のシリアル番号も登録してもよい。この場合、複数のＳＤカードに対してシリアル番号とパスワードとを登録しておけば、このうちのいずれかのＳＤカードがデジタルカメラ１に装着されても、パスワードを入力しなくてもセキュリティを解除することが可能となる。【００７９】
この場合、ＣＰＵ１３は、装着されたＳＤカード２１のシリアル番号と同じシリアル番号と、このシリアル番号に対応したパスワードとを内部メモリ１６から読み出す。すなわち、ＣＰＵ１３は、内部メモリ１６からＳＤカード２１のシリアル番号を取得する取得手段と、取得したシリアル番号に対応したパスワードを内部メモリ１６から読み出す読出手段との機能を有している。【００８０】
そして、この読み出したパスワードとＳＤカード２１のパスワードとが一致していれば、ＳＤカード２１のセキュリティ解除手段は、セキュリティを解除することになる。【００８１】
また、パソコン２が接続されていなくても、デジタルカメラ１の電源を入れれば、図１３に示す画面Ｇ６ａを表示し、この画面Ｇ６ａにしたがってパスワードを入力して、セキュリティを解除するようにしてもよい。【００８２】
この発明は、上記実施例に限られるものではなく、請求の範囲の発明の要旨を逸脱しない限り、設計の変更や追加等は許容される。【００８３】
本出願は、２０１４年８月２５日に日本国特許庁に出願された特願２０１４-１７０３６５に基づいて優先権を主張し、その全ての開示は完全に本明細書で参照により組み込まれる。  
【図１】
2016031414.tif 000003
【図２】
2016031414.tif 000004
【図３】
2016031414.tif 000005
【図４】
2016031414.tif 000006
【図５】
2016031414.tif 000007
【図５Ａ】
2016031414.tif 000008
【図６】
2016031414.tif 000009
【図７】
2016031414.tif 000010
【図８】
2016031414.tif 000011
【図９】
2016031414.tif 000012
【図１０】
2016031414.tif 000013
【図１１】
2016031414.tif 000014
【図１１Ａ】
2016031414.tif 000015
【図１１Ｂ】
2016031414.tif 000016
【図１１Ｃ】
2016031414.tif 000017
【図１２】
2016031414.tif 000018
【図１３】
2016031414.tif 000019
【図１３Ａ】
2016031414.tif 000020
【図１３Ｂ】
2016031414.tif 000021
【図１４】
2016031414.tif 000022
【図１５】
2016031414.tif 000023
【図１６】
2016031414.tif 000024
【図１７】
2016031414.tif 000025
【図１８】
2016031414.tif 000026
【図１９】
2016031414.tif 000027
【図２０】
2016031414.tif 000028
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
パスワードの設定によりセキュリティが有効となるセキュリティ機能を有する記録媒体を使用可能な電子機器であって、
外部装置と接続する接続手段と、前記記録媒体の前記セキュリティ機能を一時的に解除するために前記パスワードを前記記録媒体に入力するパスワード入力手段を備え、
前記接続手段を通じて前記外部装置の接続を検出しているとき、前記パスワード入力手段により入力された前記パスワードにより、前記記録媒体のセキュリティ機能を一時的に解除するとともに、前記記録媒体と前記外部装置との通信を可能とすることを特徴とする電子機器。
【請求項２】
前記セキュリティ機能は、パスワードによってセキュリティを設定するセキュリティ設定手段と、該セキュリティ設定手段によって設定されているセキュリティを前記パスワードによって一時的に解除するセキュリティ解除手段とを有し、
前記電子機器は、被写体を撮像する撮像手段と、前記外部装置が装置本体に接続されたことを検出する接続検出手段と、前記外部装置と通信する通信手段とを備え、
前記セキュリティ解除手段は、前記パスワード入力手段によって入力されたパスワードと、前記装置本体に装着された前記記録媒体に設定されているパスワードとが一致したとき、前記記録媒体に掛けられているセキュリティを一時的に解除し、
前記接続検出手段が外部装置の接続を検出しているとき、
前記通信手段は、前記外部装置による前記記録媒体へのアクセスが可能となったことを前記外部装置へ通知することを特徴とする請求項１に記載の電子機器。
【請求項３】
前記電子機器の電源がオンされたとき、前記パスワード入力手段によるパスワードの入力を許可することを特徴とする請求項１または請求項２に記載の電子機器。
【請求項４】
前記パスワード入力手段によって入力されたパスワードを記憶する記憶手段を有し、
前記電子機器の電源がオンされたとき、前記記憶手段に記憶されているパスワードが前記記録媒体へ入力されることを特徴とする請求項１ないし請求項３のいずれか１項に記載の電子機器。
【請求項５】
前記記憶手段によるパスワードの記憶保持時間が設定可能であることを特徴とする請求項４に記載の電子機器。
【請求項６】
前記パスワード入力手段は、バーコードで入力することを特徴とする請求項１ないし請求項５のいずれか１項に記載の電子機器。
【請求項７】
前記記憶手段は、複数の記録媒体のシリアルナンバーと、各シリアルナンバー毎のパスワードを記録することを特徴とする請求項４ないし請求項６のいずれか１項に記載の電子機器。
【請求項８】
前記記憶手段から記録媒体のシリアル番号を取得する取得手段と、
取得したシリアル番号に対応したパスワードを前記記憶手段から読み出す読出手段とを更に有し、
前記読出手段が読み出したパスワードを前記記録媒体へ入力することを特徴とする請求項７に記載の電子機器。
【請求項９】
前記パスワード入力手段によるパスワードの入力は、前記電子機器と前記外部装置の接続の後に行なわれることを特徴とする請求項１ないし請求項８のいずれか１項に記載の電子機器。
【請求項１０】
前記電子機器は、デジタルカメラであることを特徴とする請求項１ないし請求項９のいずれか１項に記載の電子機器。
【請求項１１】
パスワードの設定によりセキュリティが有効となるセキュリティ機能を有する記録媒体を使用可能であり且つ外部装置と接続する接続手段を有する電子機器の前記接続手段に外部装置を接続する接続方法であって、
前記接続手段を通じて前記外部装置の接続を検出する検出ステップと、
前記記録媒体の前記セキュリティ機能を一時的に解除するためのパスワードをパスワード入力手段によって前記記録媒体に入力するパスワード入力ステップと、
前記検出ステップにより前記外部装置の接続を検出しているとき、前記パスワード入力ステップによるパスワードの入力後に前記記録媒体の前記セキュリティ機能を一時的に解除するとともに、前記記録媒体と前記外部装置との通信を可能にするステップとを有することを特徴とする接続方法。
【手続補正３】
【補正対象書類名】明細書
【補正対象項目名】０００１
【補正方法】変更
【補正の内容】
【０００１】
技術分野
［０００１］
この発明は、記録媒体にパスワードを設定することが可能な電子機器と接続方法に関する。
背景技術
［０００２］
従来から、電子機器であるデジタルカメラに装着したＳＤカードにパスワードを設定できるようにしたデジタルカメラが知られている（特許文献１参照）。
先行技術文献
特許文献
［０００３］
特許文献１：特開２００４−３１２２４０号公報
発明の概要
発明が解決しようとする課題
［０００４］
このようなデジタルカメラにあっては、例えばパソコンなどに接続しても、セキュリティが設定されたＳＤカードに記録された画像を再生することができないようになっている。すなわち、ＳＤカード（記録媒体）とパソコンとの間で通信が行えないという問題がある。
［０００５］
この発明の目的は、記録媒体のセキュリティを解除し外部装置から通信が可能となる電子機器と接続方法を提供することにある。
課題を解決するための手段
［０００６］
この発明は、パスワードの設定によりセキュリティが有効となるセキュリティ機能を有する記録媒体を使用可能な電子機器であって、
［０００７］
外部装置と接続する接続手段と、前記記録媒体の前記セキュリティ機能を一時的に解除するために前記パスワードを前記記録媒体に入力するパスワード入力手段を備え、
［０００８］
前記接続手段を通じて前記外部装置の接続を検出しているとき、前記パスワード入力手段により入力された前記パスワードにより、前記記録媒体のセキュリティ機能を一時的に解除するとともに、前記記録媒体と前記外部装置との通信を可
【国際調査報告】
2016031414.tif 000029
2016031414.tif 000030
2016031414.tif 000031
2016031414.tif 000032